(57)【要約】    【課題】  シリンダブロック全体の重量を軽減しようとするシリンダブロックを提供する。    【解決手段】  シリンダブロック本体１の上端面に複数整列して形成したシリンダ孔に嵌着されたシリンダライナ２と、該シリンダライナ２の外周面を冷却水で直接冷却するウォータジャケット３とを備え、前記ウォータジャケット３の外壁と該ウォータジャケットの外壁７，８の外側に形成されたシリンダブロックの外壁４，５とで二重壁構造とされたシリンダブロックであって、前記ウォータジャケット３の冷却水を外部に取り出す取水口１１を前記シリンダライナ２の上部にて前記ウォータジャケットの外壁８と前記シリンダブロックの外壁５とが接近する位置に設けたものである。【選択図】      図３
2005214183.tif 000002
【特許請求の範囲】
【請求項１】
シリンダブロック本体の上端面に複数整列して形成したシリンダ孔に嵌着されたシリンダライナと、該シリンダライナの外周面を冷却水で直接冷却するウォータジャケットとを備え、前記ウォータジャケットの外壁と該ウォータジャケットの外壁の外側に形成されたシリンダブロックの外壁とで二重壁構造とされたシリンダブロックであって、
前記ウォータジャケットの冷却水を外部に取り出す取水口を前記シリンダライナの上部にて前記ウォータジャケットの外壁と前記シリンダブロックの外壁とが接近した位置に設けたことを特徴とするシリンダブロック。
【請求項２】
前記取水口は、前記複数のシリンダライナの整列方向に直交して設けられたことを特徴とする請求項１記載のシリンダブロック。
【請求項３】
前記取水口は、前記複数のシリンダライナの少なくとも一つのシリンダライナの直径方向に設けられたことを特徴とする請求項２記載のシリンダブロック。
【請求項４】
前記取水口は、前記シリンダブロックの外壁の外側に突出させてボスを備えたことを特徴とする請求項１〜３のいずれか１項に記載のシリンダブロック。
【発明の詳細な説明】
【技術分野】
【０００１】
本発明は、ウォータジャケットの外壁と、該ウォータジャケットの外壁の外側に設けられたシリンダブロックの外壁とで二重壁構造とされたシリンダブロックに関し、詳しくは、ウォータジャケットの冷却水を外部に取り出す取水口をウォータジャケットの外壁とシリンダブロックの外壁との距離が略最短距離となる位置に設けることによって、シリンダブロック全体の重量を軽減しようとするシリンダブロックに係るものである。
【背景技術】
【０００２】
従来、この種のシリンダブロックは、シリンダブロック本体の上端面の長手方向に複数のシリンダライナを配列して備え、該シリンダライナの外周面にウォータジャケットを設けており、該ウォータジャケットの一方のウォータジャケットの外壁と上記シリンダブロック本体の一方のシリンダブロックの外壁と間に上記ウォータジャケットに冷却水を供給する冷却水通路を形成し、他方のウォータジャケットの外壁と他方のシリンダブロックの外壁との間にシリンダヘッド側からのオイルをクランクケース側に戻すオイル戻し通路を形成していた。
【０００３】
これにより、冷却水通路からウォータジャケットの外壁に設けた冷却水入口を通して冷却水をウォータジャケット内に導入し、シリンダライナを直接冷却水で冷却できるようになっている。
【発明の開示】
【発明が解決しようとする課題】
【０００４】
しかし、このような従来のシリンダブロックにおいては、図４に示すようにシリンダライナ２で暖められた冷却水（温水）を例えば暖気用等に利用するために抜き取るための取水口１１が、隣接するシリンダライナ２間の他方のウォータジャケットの外壁８と他方のシリンダブロックの外壁５とを繋いで設けられていたので、取水口１１の長さが長くなりシリンダブロック全体の重量が重たいものとなっていた。
【０００５】
そこで、本発明は、このような問題点に対処し、シリンダブロック全体の重量を軽減しようとするシリンダブロックを提供することを目的とする。
【課題を解決するための手段】
【０００６】
上記目的を達成するために、本発明によるシリンダブロックは、シリンダブロック本体の上端面に複数整列して形成したシリンダ孔に嵌着されたシリンダライナと、該シリンダライナの外周面を冷却水で直接冷却するウォータジャケットとを備え、前記ウォータジャケットの外壁と該ウォータジャケットの外壁の外側に形成されたシリンダブロックの外壁とで二重壁構造とされたシリンダブロックであって、前記ウォータジャケットの冷却水を外部に取り出す取水口を前記シリンダライナの上部にて前記ウォータジャケットの外壁と前記シリンダブロックの外壁とが接近した位置に設けたものである。
【０００７】
このような構成により、シリンダライナの上部にてシリンダライナの外周面を直接冷却するウォータジャケットの外壁とその外側に設けたシリンダブロックの外壁との距離が接近した位置から取水口で冷却水を外部に取り出す。これにより、シリンダブロック全体の重量を軽減する。
【０００８】
また、前記取水口は、前記複数のシリンダライナの整列方向に直交して設けられたものである。これにより、取水口で複数のシリンダライナの整列方向と直交する方向に冷却水を取り出す。
【０００９】
さらに、前記取水口は、前記複数のシリンダライナの少なくとも一つのシリンダライナの直径方向に設けられたものである。これにより、取水口で複数のシリンダライナの少なくとも一つのシリンダライナの直径方向に冷却水を取り出す。
【００１０】
そして、前記取水口は、前記シリンダブロックの外壁の外側に突出させてボスを備えたものである。これにより、取水口のシリンダブロックの外壁側繋ぎ部の強度を増す。
【発明の効果】
【００１１】
請求項１〜３に係る発明によれば、取水口をウォータジャケットの外壁とシリンダブロックの外壁とが接近する位置で、具体的にはシリンダライナの整列方向に直交すると共に該複数のシリンダライナの少なくとも一つのシリンダライナの直径方向に取水口を設けたことにより、取水口の長さを短くすることができる。したがって、シリンダブロック本体の重量を軽減することができる。また、取水口をシリンダライナの上部に設けたことにより、燃焼室に近くなり高温のシリンダライナ上部で熱せられてより高温となった冷却水（温水）を取り出すことができる。したがって、該温水が高温であるため例えば暖気用や還元剤の貯蔵タンク凍結防止用等として適用した場合に好適である。
【００１２】
また、請求項４に係る発明によれば、取水口がシリンダブロックの外壁の外側に突出させてボスを備えたことにより、取水口のシリンダブロックの外壁側繋ぎ部強度を増すことができる。
【発明を実施するための最良の形態】
【００１３】
以下、本発明の実施形態を添付図面に基づいて詳細に説明する。
図１は本発明によるシリンダブロックの実施形態を示す斜視図であり、図２は図１のＸ−Ｘ線断面図である。このシリンダブロックは、シリンダヘッドとピストンヘッドと共に燃焼室を形成するシリンダライナの外周面を冷却水で直接冷却するようにしたウェットライナ式のシリンダブロックであり、シリンダブロック本体１と、シリンダライナ２と、ウォータジャケット３（図２参照）とを備えて成る。
【００１４】
上記シリンダブロック本体１は、図示省略のシリンダヘッドとクランクケースとの間に設けられており、長手方向の左右外壁をシリンダブロックの外壁４，５としている。このシリンダブロック本体１は、後述のシリンダライナ２を保持すると共に該シリンダライナ２を冷却する後述のウォータジャケット３を内部に備えたものである。
【００１５】
上記シリンダブロック本体１の上端面１ａにて長手方向に複数整列して形成したシリンダ孔には、シリンダライナ２が嵌着されている。このシリンダライナ２は、円筒状に形成された内部に図示省略のピストンを上下動自在に嵌入するものであり、上端部に取り付けられるシリンダヘッドと一体となってその上部に燃焼室を形成する。
【００１６】
また、上記シリンダライナ２の外周面部には、図２に示すように、ウォータジャケット３が設けられている。このウォータジャケット３は、シリンダライナ２の外周面を冷却水で直接冷却するものであり、図３に示すように、一方のウォータジャケットの外壁８に冷却水入口９を形成し、該冷却水入口９によりウォータジャケットの外壁８とシリンダブロック本体１の一方のシリンダブロックの外壁４間に形成された冷却水通路６に開放して冷却水を導入できるようになっている。さらに、他方のウォータジャケットの外壁８と他方のシリンダブロックの外壁５間には、オイル戻し通路１０を形成している。こうして、上記ウォータジャケットの外壁７，８と、シリンダブロックの外壁４，５とにより二重壁構造のシリンダブロックを形成している。
【００１７】
そして、上記シリンダライナ２の上部にてその整列方向に直交し、一つのシリンダライナ２に対応してその直径方向に上記ウォータジャケットの外壁８とシリンダブロックの外壁５と間に取水口１１が設けられている。この取水口１１は、ウォータジャケット３の冷却水を外部に取り出すためのものであり、シリンダライナ２で熱せられた冷却水（温水）を例えば排気浄化装置の還元剤としての尿素を貯留した貯蔵タンクを加熱して尿素水が凍結するのを防止するためや暖気用に利用できるようになっている。また、上記取水口１１は、シリンダブロックの外壁５の外側に突出させてボス１２を設けている。なお、取水口１１は、一つのシリンダライナ２に対応して一つだけ設けたものに限られず、複数のシリンダライナ２に対応して複数設けてもよい。
【００１８】
次に、このように構成されたシリンダブロックの動作について説明する。
先ず、シリンダ内の燃焼室に燃料ガスが供給された状態において、図示省略のピストンが上昇して燃焼室内の燃料ガスを圧縮する。このとき、例えばディーゼルエンジンの場合には、圧縮されたガス圧が所定圧に達すると燃焼ガスが自然着火し、爆発的に燃焼して燃焼ガスを膨張させ、ピストンを押し下げクランクを回転させる。
【００１９】
このとき、上記燃料ガスの燃焼熱によりシリンダライナ２が加熱される。この熱は、シリンダブロック本体１のシリンダブロックの外壁４に沿って設けられた冷却水通路６からウォータジャケットの外壁７に設けられた冷却水入口９を通ってウォータジャケット３内に供給される冷却水により直接冷却される。
【００２０】
一方、冷却水は、シリンダライナ２の熱を奪うことにより逆に温められて温水となる。特に、シリンダライナ２の上部は、燃焼室に近いため、該部分の冷却水はより高温となっている。この温水は、ウォータジャケットの外壁８とシリンダブロックの外壁５と間に設けた取水口１１から外部に取り出され、例えば暖気用や排気浄化装置の還元剤貯蔵タンクの加熱用等に利用される。
【００２１】
このように、本発明のシリンダブロックによれば、シリンダライナ２の整列方向に直交し、シリンダライナ２の直径方向にウォータジャケットの外壁８とシリンダブロックの外壁５とを繋いで取水口１１を設けたことにより、従来技術による場合と比較して取水口１１の長さを短くすることができる。したがって、取水口１１部分の重量を減らすことができ、シリンダブロック全体の重量を軽減することができる。
【００２２】
また、取水口１１をシリンダライナ２の上部の燃焼室近傍部に設けたことにより、シリンダライナ２で熱せられてより高温となった冷却水（温水）を取り出すことができる。したがって、取り出した温水が高温であるため、該高温水を例えば還元剤貯蔵タンクの加熱用や暖気用として適用する場合に好適である。
【００２３】
そして、上記取水口１１がシリンダブロックの外壁５の外側に突出させてボス１２を備えているので、取水口１１のシリンダブロックの外壁５側繋ぎ部の強度を増すことができる。
【００２４】
なお、上記取水口１１は、複数のシリンダライナ２の整列方向に直交し、且つシリンダライナ２の直径方向に設けたものに限られず、ウォータジャケットの外壁８と上記シリンダブロックの外壁５とが接近する位置に設けるとよい。また、取水口１１は、ウォータジャケットの外壁７とシリンダブロックの外壁４とを繋いで設けてもよい。
【図面の簡単な説明】
【００２５】
【図１】本発明によるシリンダブロックの実施形態を示す斜視図である。
【図２】図１のＸ−Ｘ線断面図である。
【図３】上記シリンダブロックの要部拡大横断面図である。
【図４】従来のシリンダブロックの横断面図である。
【符号の説明】
【００２６】
１…シリンダブロック本体
２…シリンダライナ
３…ウォータジャケット
４，５…シリンダブロックの外壁
７，８…ウォータジャケットの外壁
１１…取水口
１２…ボス
【図１】
2005214183.tif 000003
【図２】
2005214183.tif 000004
【図３】
2005214183.tif 000005
【図４】
2005214183.tif 000006